【手続補正書】
【提出日】平成20年1月21日(2008.1.21)
【手続補正１】
【補正対象書類名】特許請求の範囲
【補正対象項目名】全文
【補正方法】変更
【補正の内容】
【特許請求の範囲】
【請求項１】
単位製品を分配するためのディスペンサであって、
アクセス開口を有する、前記単位製品を収納するための容器と、
前記アクセス開口の上で前記容器に第1のタイプの小児用安全密封接続によって取り外し可能に接続することができる分配モジュールであって、前記容器内の前記アクセス開口から製品を受け入れるための内部容量を有し、そこから前記分配モジュール内の出口開口を介して前記単位製品を分配することができる分配モジュールと、
前記出口開口を閉じるために第2のタイプの小児用安全密封接続によって前記分配モジュールに取り外し可能に接続することができる密封手段とを含むディスペンサ。
【請求項２】
前記分配モジュールが、前記容器に取り外し可能にはめ込まれるように適合されているコネクタ構造をさらに含む請求項1に記載のディスペンサ。
【請求項３】
前記容器が、前記分配モジュールに取り外し可能にはめ込まれるように適合されているコネクタ構造を含む請求項1に記載のディスペンサ。
【請求項４】
前記コネクタ構造がネジ山を含む請求項2または請求項3に記載のディスペンサ。
【請求項５】
前記分配モジュールが前記容器から一方向に外れることを防止するように構成されているロッキング要素を前記分配モジュールがさらに含む請求項1から請求項4のいずれか一項に記載のディスペンサ。
【請求項６】
前記ロッキング要素が、前記容器上のくぼみにはめ込まれるように適合されているタブである請求項5に記載のディスペンサ。
【請求項７】
前記ロッキング要素が、前記容器上のタブがはめ込まれるように適合されているくぼみである請求項5に記載のディスペンサ。
【請求項８】
前記分配モジュールが前記容器から一方向に外れることを防止するように構成されているロッキング要素を前記容器がさらに含む請求項2から請求項4のいずれか一項に記載のディスペンサ。
【請求項９】
締め付けながら回す動きによって前記分配モジュールが前記容器から外れることができるように前記ロッキング要素およびコネクタ構造が構成されている、請求項2から請求項4のいずれか一項に従属している場合の請求項5から請求項8のいずれか一項に記載のディスペンサ。
【請求項１０】
前記分配モジュールが、前記密封手段に取り外し可能にはめ込まれるように適合されているコネクタ構造をさらに含む請求項1から請求項9のいずれか一項に記載のディスペンサ。
【請求項１１】
前記密封手段が、前記分配モジュールに取り外し可能にはめ込まれるように適合されているコネクタ構造を含む請求項1から請求項9のいずれか一項に記載のディスペンサ。
【請求項１２】
前記コネクタ構造がネジ山を含む請求項10または請求項11に記載のディスペンサ。
【請求項１３】
前記分配モジュールが前記密封手段から一方向に外れることを防止するように構成されているロッキング要素を前記分配モジュールがさらに含む請求項1から請求項12のいずれか一項に記載のディスペンサ。
【請求項１４】
前記ロッキング要素が、前記密封手段上のくぼみにはめ込まれるように適合されているタブである請求項13に記載のディスペンサ。
【請求項１５】
前記ロッキング要素が、前記密封手段上のタブがはめ込まれるように適合されているくぼみである請求項13に記載のディスペンサ。
【請求項１６】
前記分配モジュールが前記密封手段から一方向に外れることを防止するように構成されているロッキング要素を前記密封手段が含む請求項1から請求項12のいずれか一項に記載のディスペンサ。
【請求項１７】
押しながら回す動きによって前記分配モジュールが前記密封手段から外れることができるように前記ロッキング要素およびコネクタ構造が構成されている、請求項10から請求項12のいずれか一項に従属している場合の請求項13から請求項16のいずれか一項に記載のディスペンサ。
【請求項１８】
前記密封手段が、クラッチをさらに含み、前記密封手段の前記コネクタ構造が、前記密封手段内では自由に回転することができ、前記密封手段上で前記分配モジュールの方向へ力を加えることによって前記クラッチ上にはめ込まれると、前記コネクタ構造内で回転することが防止される、請求項11に従属する場合の請求項17に記載のディスペンサ。
【請求項１９】
前記ロッキング要素が、前記分配モジュールと容器とを切り離すのに必要とされる方法とは異なる方法で前記密封手段と分配モジュールとを切り離すことができるように機能する請求項13から請求項18のいずれか一項に記載のディスペンサ。
【請求項２０】
前記コネクタ構造が、お互いに対して相補的であり、それによって前記密封手段が、前記分配モジュールの代わりに前記容器にも接続可能である、請求項3に従属する場合の請求項11に記載のディスペンサ。
【請求項２１】
前記単位製品を含む前記請求項のいずれか一項に記載のディスペンサ。
【請求項２２】
前記単位製品が医薬品である請求項21に記載のディスペンサ。
【請求項２３】
前記医薬品が経口服用形態である請求項22に記載のディスペンサ。
【請求項２４】
前記分配モジュールがその後に前記容器から切り離されたかどうかを示すための不正開封検知構造をさらに含む前記請求項のいずれか一項に記載のディスペンサ。
【請求項２５】
前記不正開封検知構造が、前記分配モジュールと前記容器の境界にわたって適用される請求項24に記載のディスペンサ。
【請求項２６】
前記不正開封検知構造がラベルである請求項25に記載のディスペンサ。
【請求項２７】
前記第1のタイプの小児用安全密封接続と第2のタイプの小児用安全密封接続のうちの一方が、前記押しながら回す種類のものであり、および/または他方のタイプが、前記締め付けながら回す種類のものである請求項1に記載のディスペンサ。
【請求項２８】
単位製品を分配するためのディスペンサにおいて、
アクセス開口を有する、前記単位製品を収納するための容器と、
前記アクセス開口の上で前記容器に取り外し可能に接続することができる分配モジュールであって、前記容器内の前記アクセス開口から製品を受け入れるための内部容量を有し、そこから前記分配モジュール内の出口開口を介して前記単位製品を分配することができる分配モジュールと、
前記分配モジュールに取り外し可能に接続することができる密封手段とを含むディスペンサであって、
前記容器と前記分配モジュールとを、それぞれの第1のコネクタ構造を通じて取り外し可能に接続することができ、前記分配モジュールと前記密封手段とを、それぞれの第2のコネクタ構造を通じて取り外し可能に接続することができ、前記第1のコネクタ構造と第2のコネクタ構造が、別々のコネクタタイプのものであり、そのために、前記密封手段を前記分配モジュールから取り外しても、前記分配モジュールが前記容器から取り外されることがないディスペンサ。
【請求項２９】
前記第1のコネクタ構造と第2のコネクタ構造のうちの少なくとも1つが、小児用安全接続をもたらす請求項28に記載のディスペンサ。
【請求項３０】
単位製品用の容器に接続するための、および前記請求項のいずれか一項に記載の密封手段に接続するための分配モジュール。
【請求項３１】
作動させると前記出口開口から所定の数の単位製品を分配するように機能する分配メカニズムをさらに含む請求項30に記載の分配モジュール。